(57)【要約】【課題】少なくとも三色のＬＥＤ素子を個別に発光可能で軽量化かつ小型化された電飾装置を提供する。【解決手段】少なくとも三色のＬＥＤ素子２０を有する複数のＬＥＤランプ２，２，…と、該複数のＬＥＤランプ２，２，…の発光を制御するコントローラ５と、を有する電飾装置１であって、複数のＬＥＤランプ２，２，…の各々は、２本の電力線３，３により直列に接続され、該２本の電力線３，３から供給される信号に応じてＬＥＤ素子２０の発光を個別に制御する制御用ＩＣ２４を備え、コントローラ５は、２本の電力線３，３により信号を送信する。【選択図】図１
2020198223.tif 000002
【特許請求の範囲】
【請求項１】
少なくとも三色のＬＥＤ素子を有する複数のＬＥＤランプと、該複数のＬＥＤランプの発光を制御するコントローラと、を有する電飾装置であって、
前記複数のＬＥＤランプの各々は、２本の電力線により直列に接続され、該２本の電力線から供給される信号に応じて前記ＬＥＤ素子の発光を個別に制御する制御用ＩＣを備え、
前記コントローラは、前記２本の電力線により前記信号を送信することを特徴とする電飾装置。
【請求項２】
前記制御用ＩＣは、前記信号の周波数に対応した前記ＬＥＤ素子の発光パターンを記憶するテーブルを有することを特徴とする請求項１に記載の電飾装置。
【請求項３】
前記制御用ＩＣは、前記信号の特定の周波数において、予め決められた前記ＬＥＤ素子の発光パターンから特定の発光パターンを選択的に選ぶ選択手段を具備することを特徴とする請求項２に記載の電飾装置。
【請求項４】
前記選択手段は、乱数によって前記特定の発光パターンを選ぶことを特徴とする請求項３に記載の電飾装置。
【請求項５】
前記電力線から供給される信号を駆動電流として前記ＬＥＤ素子に供給するものであって、
前記信号の周波数が低い範囲では１つのＬＥＤ素子のみを発光させるパターンとなっていることを特徴とする請求項２ないし４のいずれかに記載の電飾装置。
【請求項６】
前記信号の周波数が更に低い範囲では赤色のＬＥＤ素子のみを発光させるパターンとなっていることを特徴とする請求項５に記載の電飾装置。
【請求項７】
前記コントローラは、前記２本の電力線に供給される駆動電流に重畳させた前記信号を送信することを特徴とする請求項１ないし４のいずれかに記載の電飾装置。
【請求項８】
隣接する２つの前記ＬＥＤランプ同士を接続する前記２本の電力線は、該隣接する２つのＬＥＤランプ同士の間において該２本の電力線の一方から分岐して延びる電力線とともに捩れて一体とされていることを特徴とする請求項１ないし７のいずれかに記載の電飾装置。
【発明の詳細な説明】
【技術分野】
【０００１】
本発明は、ＬＥＤランプを用いて建築物や植物などを装飾する電飾装置に関する。
【背景技術】
【０００２】
電飾装置は、ＬＥＤランプ等の発光体が所定間隔毎に電力線上に複数配設され、ライン状のイルミネーションを構成し、自由にその形状変えることができ、屋内や屋外を装飾するものである。
【０００３】
特許文献１の電飾装置は、複数のＬＥＤランプが二本の電力線により直列接続され、点灯状態が制御されている。そのため、全てのＬＥＤランプに同じ電流を供給でき、全てのＬＥＤランプの発光時の明るさを均一にすることができる。更に、電飾装置を軽量化かつ小型化することができる。
【０００４】
また、特許文献２に示されるように、ＬＥＤ素子の普及によって、ＲＧＢ三色のＬＥＤ素子を有するＬＥＤランプが小型・低廉に構成可能となってきており、このようなＬＥＤランプを用いることで複数の色を発光させることが可能な演出効果を高めた電飾装置も提案されている。
【先行技術文献】
【特許文献】
【０００５】
【特許文献１】特開２０１０−２０５４６５号公報（第６頁、第２図）
【特許文献２】特開２０１５−１７３２１７号公報（第９頁、第７図）
【発明の概要】
【発明が解決しようとする課題】
【０００６】
しかしながら、特許文献２の電飾装置の赤色ＬＥＤ素子、緑色ＬＥＤ素子、青色ＬＥＤ素子には、アノード側の電力線がそれぞれ接続されるとともにカソード側の共通の電力線が共通で接続され、１つのＬＥＤランプには４本の電力線が配線されている。そのため、特許文献１のような一つのＬＥＤ素子を有するＬＥＤランプを複数接続した電飾装置に比べ、電力線の本数が多く大型化かつ重くなるという問題があった。
【０００７】
本発明は、このような問題点に着目してなされたもので、少なくとも三色のＬＥＤ素子を個別に発光可能で軽量化かつ小型化された電飾装置を提供することを目的とする。
【課題を解決するための手段】
【０００８】
前記課題を解決するために、本発明の電飾装置は、
少なくとも三色のＬＥＤ素子を有する複数のＬＥＤランプと、該複数のＬＥＤランプの発光を制御するコントローラと、を有する電飾装置であって、
前記複数のＬＥＤランプの各々は、２本の電力線により直列に接続され、該２本の電力線から供給される信号に応じて前記ＬＥＤ素子の発光を個別に制御する制御用ＩＣを備え、
前記コントローラは、前記２本の電力線により前記信号を送信することを特徴としている。
この特徴によれば、各ＬＥＤランプにおいてＬＥＤ素子を個別に発光可能としつつ、電力線は２本接続された構成であるから、軽量かつ小型の電飾装置を提供することができる。
【０００９】
前記制御用ＩＣは、前記信号の周波数に対応した前記ＬＥＤ素子の発光パターンを記憶するテーブルを有することを特徴としている。
この特徴によれば、信号の周波数に応じてＬＥＤ素子の発光パターンを決めておけばよいので多くの発光パターンを簡便に実現することができる。
【００１０】
前記制御用ＩＣは、前記信号の特定の周波数において、予め決められた前記ＬＥＤ素子の発光パターンから特定の発光パターンを選択的に選ぶ選択手段を具備することを特徴としている。
この特徴によれば、特定の周波数では、発光パターンが選択的に選ばれるので、各ＬＥＤランプの発光態様が様々となり、演出効果が高い。
【００１１】
前記選択手段は、乱数によって前記特定の発光パターンを選ぶことを特徴としている。
この特徴によれば、特定の周波数では、発光パターンが乱数により選択されるので、各ＬＥＤランプの発光態様が一層様々となり、演出効果が高い。
【００１２】
前記電力線から供給される信号を駆動電流として前記ＬＥＤ素子に供給するものであって、
前記信号の周波数が低い範囲では１つのＬＥＤ素子のみを発光させるパターンとなっていることを特徴としている。
この特徴によれば、信号の周波数が低く駆動電流の電力量の少ない範囲では発光させるＬＥＤ素子が少ないのでエネルギー効率がよい。また、ＬＥＤ素子に供給される駆動電流とパターンを決める信号とが同じであるので制御用ＩＣの回路構成を簡素に構成できる。
【００１３】
前記信号の周波数が更に低い範囲では赤色のＬＥＤ素子のみを発光させるパターンとなっていることを特徴としている。
この特徴によれば、駆動電流の電力量の更に少ない範囲では発光させる消費電力の少ない赤色のＬＥＤ素子を発光させるのでエネルギー効率がよい。
【００１４】
前記コントローラは、前記２本の電力線に供給される駆動電流に重畳させた前記信号を送信することを特徴としている。
この特徴によれば、駆動電流と信号とは個別に供給されるので、駆動電流が発光パターンによらず安定して供給される。
【００１５】
隣接する２つの前記ＬＥＤランプ同士を接続する前記２本の電力線は、該隣接する２つのＬＥＤランプ同士の間において該２本の電力線の一方から分岐して延びる電力線とともに捩れて一体とされていることを特徴としている。
この特徴によれば、電力線同士の絡まりを防止できるため、電飾装置の取り付けが容易となる。
【図面の簡単な説明】
【００１６】
【図１】この発明の実施例における電飾装置を示す斜視図である。
【図２】２つのＬＥＤユニットを連結させた状態を示す回路図である。
【図３】ＬＥＤランプ内を模式的に示すブロック図である。
【図４】実施例の変形例であり、電力線から供給される信号の波形図である。
【発明を実施するための形態】
【００１７】
本発明に係る電飾装置を実施するための形態を実施例に基づいて以下に説明する。
【実施例】
【００１８】
実施例に係る電飾装置につき、図１から図４を参照して説明する。図１の符号１は、本発明の適用された電飾装置である。この電飾装置１は、主に建築物や植物などの外面に這わせるように配置して、ＬＥＤランプ２の発光により装飾を行う。
【００１９】
電飾装置１は、ＬＥＤユニット１０と電力（信号）を供給する供給ユニット１１とを備えている。ＬＥＤユニット１０は、電力線３により接続される複数のＬＥＤランプ２，２，…と、両端のＬＥＤランプ２，２，に電力線３で接続される連結プラグ６，６とを有している。また、供給ユニット１１は、複数のＬＥＤランプ２，２，…の発光を制御するコントローラ５と、該コントローラ５に電力線３で接続される差込プラグ４及び連結プラグ６とを有している。尚、本実施例において１つのＬＥＤユニット１０に電気的に直列に接続された３３，３４個のＬＥＤランプ２，２，…が備えられ、降圧器を用いずに商用交流１００Ｖにより電飾装置１を使用することができる。尚、降圧器等の変圧器の使用を妨げるものではないことは言うまでもない。
【００２０】
ＬＥＤユニット１０の一端側の連結プラグ６と、供給ユニット１１の連結プラグ６とを連結させることで、電飾装置１が構成される。また、ＬＥＤユニット１０の他端側の連結プラグ６に他のＬＥＤユニット１０（図２を参照。）の連結プラグ６を連結させることで、２つのＬＥＤユニット１０，１０を連結できる。同様に他のＬＥＤユニット１０に更に別のＬＥＤユニット１０を連結させることも可能である。尚、連結させるＬＥＤユニット１０は電力を確実に供給させる観点から３程度以下が好ましい。また、ＬＥＤユニット１０の他端側の連結プラグ６には蓋体７が備えられており、他のＬＥＤユニット１０と連結させない場合は蓋体７によって該連結プラグ６の連結部を閉じて使用する。
【００２１】
コントローラ５は整流器と、操作指令に応じた所望の周波数のパルス状の信号８を生成する信号生成器と、を備える。信号８は、電力線３を介してＬＥＤランプ２に送信され、後述するＬＥＤ素子２０に供給される駆動電流と発光パターンを決める信号とを兼ねている。尚、コントローラ５の信号生成器から出力される信号８を作成させる操作指令は、リモコン等による遠隔的に入力されるものであってもよいし、コントローラ５に配置されたボタンの操作により入力されるものであってもよい。
【００２２】
図１，２に示されるように、電力線３は、アノード側に接続される電力線３Ｂと、カソード側に接続される電力線３Ｃと、電力線３Ｂ，３Ｃから分岐し、電力線３Ｂ，３Ｃの間において複数のＬＥＤランプ２，２，…を直列接続する電力線３Ａとから構成されている。また図１に示されるように、隣接するＬＥＤランプ２，２間において電力線３Ａは、電力線３Ｂ，３Ｃにより捩れて一体となった状態となっている。尚、両端のＬＥＤランプ２，２には、それぞれ電力線３Ａと３Ｂの分岐接続点、電力線３Ａと電力線３Ｃの分岐接続点とが収容されている。
【００２３】
図２に示されるように、２つのＬＥＤユニット１０，１０が連結されており、各ＬＥＤユニット１０においてＬＥＤランプ２，２，…の各々は、２本の電力線３Ａ，３Ａにより直列に接続されている。これによれば、１つのＬＥＤユニット１０内の全てのＬＥＤランプ２，２，…に同じ電流を供給でき、発光時の明るさを均一にすることができる。尚、ＬＥＤユニット１０を連結しない場合には、アノード側から分岐する部分の電力線３Ｂは廃止してよい。
【００２４】
また、各ＬＥＤユニット１０は並列接続されているため、各ＬＥＤユニット１０を同じ明るさで発光させることができる。更に、一方のＬＥＤユニット１０が断線等により電気的に絶縁状態となっても、他方のＬＥＤユニット１０は通電状態が維持され発光し続ける。
【００２５】
図３に示されるように、ＬＥＤランプ２は、三色のＬＥＤ素子２０及び制御用ＩＣ２４を有する。三色のＬＥＤ素子２０は、赤色ＬＥＤ素子２１（赤色のＬＥＤ素子）、緑色ＬＥＤ素子２２及び青色ＬＥＤ素子２３から成り、各々発光時に赤色、緑色、青色の光を放つ。また、制御用ＩＣ２４は、コントローラ５から電力線３を介して供給される信号８に応じて三色のＬＥＤ素子２０の発光を個別に制御する。詳しくは、制御用ＩＣ２４は、周波数に対応した三色のＬＥＤ素子２０の発光パターンを記憶するテーブルを有するメモリ２４ａと、信号８の周波数を判別し判別された周波数に対応する発光パターンをメモリ２４ａに記憶されたテーブルから選択的に選ぶ判別部２４ｂ（選択手段）と、三色のＬＥＤ素子２０に各々対応して設けられ選択された発光パターンに応じてON/OFFを切り替えるスイッチ２４ｃと、を具備する。尚、スイッチ２４ｃは概念的に示されたものであり、トランジスタ等によって構成されている。
【００２６】
また、メモリ２４ａに記憶されたテーブルの例は、表１に示される通りであり、周波数に相当する送信速度が100〜200kbpsの範囲において、発光パターンとして三色のＬＥＤ素子２０の輝度と点滅周期とが決められている。例えば周波数が115kbpsの場合、赤色ＬＥＤ素子２１と緑色ＬＥＤ素子２２とが各々20%の輝度でかつ点滅周期１秒で発光するパターンとなり、135kbpsの場合、赤色ＬＥＤ素子２１が20%の輝度で常灯するパターンとなる。更に周波数が169kbpsの場合、三色のＬＥＤ素子２０が100%の輝度すなわち白色に常灯するパターンとなる。尚、表１中のRandは乱数を示しており、170,171kbpsの特定の周波数において三色のＬＥＤ素子２０の各々輝度が乱数により選択されるので、各ＬＥＤランプ２の発光態様が一層様々となり、演出効果が高い。更に尚、点滅周期を乱数としてもよい。
【００２７】
【表１】
2020198223.tif 000003
【００２８】
また表１に示されるように、信号８の周波数の低い範囲（100〜114kbps）では１つのＬＥＤ素子２０のみを発光させるパターンとなっているため、信号８の周波数が低く駆動電流の電力量の少ない範囲では発光させるＬＥＤ素子２０が少ないのでエネルギー効率がよい。また、信号８の周波数の更に低い範囲（100~104kbps）では赤色ＬＥＤ素子２１のみを発光させるパターンとなっているため、駆動電流の電力量の更に少ない範囲では発光させる消費電力の少ない赤色ＬＥＤ素子２１を発光させるのでエネルギー効率がよい。
【００２９】
このように、各ＬＥＤランプ２において三色のＬＥＤ素子２０を個別に発光可能としつつ、電力線３は２本接続された構成であるから、軽量かつ小型の電飾装置１を提供することができる。
【００３０】
また、各ＬＥＤランプ２の制御ＩＣ２４には、個別に遅延回路が設定されているため、各ＬＥＤランプ２を順に発光させる演出が可能となる。尚、該遅延回路は、ハード的に制御ＩＣ２４毎にコンデンサの静電容量を変えておいてもよく、またソフト的に制御ＩＣ２４のメモリ２４ａに記憶させる遅延時間（表１には記載せず。）を変えておいてもよい。
【００３１】
尚、コントローラ５は、電力線３に供給される駆動電流に重畳させた信号８を送信してもよい。この場合、コントローラ５には変調回路と重畳回路が、各ＬＥＤランプ２の制御ＩＣ２４には分離回路と復調回路を追加的に備える必要がある。これによれば、駆動電流と信号とは個別に供給されるので、駆動電流が発光パターンによらず安定して供給される。
【００３２】
実施例の変形例１について説明する。尚、前記実施例に示される構成部分と同一のものについては、同一符号を付して重複する説明を省略する。制御ＩＣ２４のメモリ２４ａに記憶されたテーブルは、表２に示される通り、発光パターンを色、輝度及び点滅周期の３要素に分け、各要素ともテーブル上で周波数に応じて独立した値を有する。図４に示される周波数ｆ１，ｆ２，ｆ３の波形を順に合成した信号１０８を判別部２４ｂに読み込ませることで、色、輝度及び点滅周期は各々周波数ｆ１，ｆ２，ｆ３に対応したテーブルの値が出力され、発光パターンが選択される。これによれば、テーブルにおける色、輝度及び点滅周期の３要素の値を各々独立して設定できるため、発光パターンを増やすことができる。
【００３３】
【表２】
2020198223.tif 000004
【００３４】
以上説明したように、三色のＬＥＤ素子２０を有する複数のＬＥＤランプ２，２，…の各々は、２本の電力線３，３により直列に接続され、該２本の電力線３，３から供給される信号８に応じてＬＥＤ素子２０の発光を個別に制御する制御用ＩＣ２４を備え、コントローラ５は、２本の電力線３，３により信号８を送信する。これによれば、各ＬＥＤランプ２において三色のＬＥＤ素子２０を個別に発光可能としつつ、電力線３は２本接続された構成であるから、軽量かつ小型の電飾装置１を提供することができる。
【００３５】
また、制御用ＩＣ２４のメモリ２４ａは、信号８の周波数に対応した三色のＬＥＤ素子２０の発光パターンを記憶するテーブルを有することから、信号８の周波数に応じて三色のＬＥＤ素子２０の発光パターンを決めておけばよいので多くの発光パターンを簡便に実現することができる。
【００３６】
また、制御用ＩＣ２４は、信号８の特定の周波数において、予め決められた三色のＬＥＤ素子２０の発光パターンから特定の発光パターンを選択的に選ぶ判別部２４ｂを具備することから、特定の周波数では、発光パターンが選択的に選ばれるので、各ＬＥＤランプ２の発光態様が様々となり、演出効果が高い。
【００３７】
また、判別部２４ｂは、乱数によって特定の発光パターンを選ぶことから、特定の周波数では、発光パターンが乱数により選択されるので、各ＬＥＤランプ２の発光態様が一層様々となり、演出効果が高い。
【００３８】
また、電力線３から供給される信号８を駆動電流としてＬＥＤ素子２０に供給するものであって、信号８の周波数が低い範囲では１つのＬＥＤ素子２０のみを発光させるパターンとなっている。これによれば、信号８の周波数が低く駆動電流の電力量の少ない範囲では発光させるＬＥＤ素子２０が少ないのでエネルギー効率がよい。また、ＬＥＤ素子２０に供給される駆動電流とパターンを決める信号８とが同じであるので制御用ＩＣ２４の回路構成を簡素に構成できる。
【００３９】
また、信号８の周波数が更に低い範囲では赤色ＬＥＤ素子２１のみを発光させるパターンとなっていることから、駆動電流の電力量の更に少ない範囲では発光させる消費電力の少ない赤色ＬＥＤ素子２１を発光させるのでエネルギー効率がよい。
【００４０】
また、隣接する２つのＬＥＤランプ２，２同士を接続する２本の電力線３，３は、該隣接する２つのＬＥＤランプ２，２同士の間において該２本の電力線３，３の一方から分岐して延びる電力線３とともに捩れて一体とされている。そのため、電力線３同士の絡まりを防止できるため、電飾装置１の取り付けが容易となる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、ＬＥＤランプ２は赤色、緑色及び青色の三色のＬＥＤ素子２０を有すると説明したが、これに限らず例えば青色、白色、電球色等の他の三色の組み合わせでもよく、また、四色以上でもよい。
【００４３】
また、ＬＥＤユニット１０は、ＬＥＤランプ２が露出され、かつ電力線３Ａ，３Ｂ，３Ｃがそれぞれ個別に絶縁被覆されていると説明したが、これに限らず、樹脂製のリボンにＬＥＤランプが埋設され、電力線がリボン内部に並設されていてもよい。
【００４４】
また、電力線３Ａは、電力線３Ｂ，３Ｃにより捩れて一体となった状態となっていると説明したが、これに限らず電力線３Ａ，３Ｂ，３Ｃが一体となっていない状態でもよい。
【符号の説明】
【００４５】
１                電飾装置
２                ＬＥＤランプ
３                電力線
３Ａ              電力線
３Ｂ              電力線
３Ｃ              電力線
４                差込プラグ
５                コントローラ
６                連結プラグ
８                信号
２０              ＬＥＤ素子
２１              赤色ＬＥＤ素子（赤色のＬＥＤ素子）
２４              制御用ＩＣ
２４ｂ            判別部（選択手段）
１０８            信号
【図１】
2020198223.tif 000005
【図２】
2020198223.tif 000006
【図３】
2020198223.tif 000007
【図４】
2020198223.tif 000008